(57)【要約】  グループの対応メディア種別に関する混乱を招かない情報をグループメンバに提供するために，対応メディア種別に関する情報が前記グループの利用可能メディア種別と対照される。
2009517943.tif 000002
【特許請求の範囲】
【請求項１】
グループ通信サービスを提供する通信システムのグループ通信サーバであって，グループの１又は複数の対応メディア種別を標示するメッセージに応答して，前記の標示対応メディア種別と利用可能メディア種別とを対照し，すべての標示対応メディア種別が利用可能メディア種別であるときは，前記標示対応メディア種別を修正することなく前記メッセージを送信するように構成するグループ通信サーバ。
【請求項２】
前記利用可能メディア種別は，メディア種別及びそれらが規定するメディア種別を有する群のうち少なくとも１つとし，前記群は，前記グループが規定する対応メディア種別と，グループメンバ許可メディア種別と，グループメンバのグループメンバ能力と，グループメンバが用いるユーザ装置のユーザ装置能力と，を含む請求項１に記載のグループ通信サーバ。
【請求項３】
前記グループ通信サーバは更に，前記標示対応メディア種別と規定対応メディア種別とを対照し，原メッセージにない各規定対応メディア種別を前記標示対応メディア種別として前記メッセージに追加するようになっている請求項１又は２に記載のグループ通信サーバ。
【請求項４】
前記グループ通信サーバは更に，前記標示対応メディア種別と規定対応メディア種別とを対照し，そのグループの規定対応メディア種別に含まれない各標示対応メディア種別を前記メッセージから削除するようになっている請求項１，２又は３に記載のグループ通信サーバ。
【請求項５】
前記グループ通信サーバは更に，前記標示対応メディア種別とグループメンバ許可メディア種別とを対照し，前記グループメンバ許可メディア種別に含まれない各標示対応メディア種別を前記メッセージから削除するようになっている請求項１，２，３又は４に記載のグループ通信サーバ。
【請求項６】
前記グループ通信サーバは更に，前記標示対応メディア種別とグループメンバのグループメンバ能力とを対照し，前記グループメンバ能力が対応していない各標示対応メディア種別を前記メッセージから削除するようになっている請求項１，２，３，４又は５に記載のグループ通信サーバ。
【請求項７】
前記グループ通信サーバは更に，前記標示対応メディア種別とグループメンバが用いるユーザ装置のユーザ装置能力とを対照し，前記ユーザ装置能力が対応していない各標示対応メディア種別を前記メッセージから削除するようになっている請求項１，２，３，４，５又は６に記載のグループ通信サーバ。
【請求項８】
前記グループ通信サーバは更に，前記メッセージを前記グループメンバへ個別化メッセージとして送信するようになっている請求項５，６又は７に記載のグループ通信サーバ。
【請求項９】
グループ通信サービスを提供する通信システムのグループ通信サーバであって，前記グループの１又は複数の対応メディア種別を標示していないグループを広告するメッセージ，又はグループメンバを前記グループに参加するよう招待するメッセージ，に応答して，前記グループの対応メディア種別の標示を前記メッセージに追加するように構成するグループ通信サーバ。
【請求項１０】
グループ通信に対応するユーザ装置であって，グループの１又は複数の対応メディア種別を標示するメッセージに応答して，前記の標示対応メディア種別とユーザ装置能力とを対照し，すべての標示対応メディア種別が前記ユーザ装置能力の対応するものであるときは，ユーザに前記メッセージを表示するように構成するユーザ装置。
【請求項１１】
前記ユーザ装置は更に，前記ユーザ装置能力が対応していない各標示対応メディア種別を前記メッセージから削除するように構成する請求項１０に記載のユーザ装置。
【請求項１２】
グループ通信サービスを提供する通信システムにおいて，グループ内の対応メディア種別をグループメンバに通知する方法であって，メッセージによって１または複数の対応メディア種別を標示することができ，
少なくとも１つの前記対応メディア種別と前記グループの利用可能メディア種別とを対照する対照ステップと，
前記対照ステップによってどのように継続するかを決定するステップと，
を有する方法。
【請求項１３】
前記対照ステップは，前記標示対応メディア種別と規定対応メディア種別とを対照するステップを含み，前記方法は更に
原メッセージにない各規定対応メディア種別を前記標示対応メディア種別として前記メッセージに追加するステップ
を有する請求項１２に記載の方法。
【請求項１４】
前記対照ステップは，前記標示対応メディア種別と規定対応メディア種別とを対照するステップを含み，前記方法は更に
そのグループの規定対応メディア種別に含まれない各標示対応メディア種別を前記メッセージから削除するステップ
を有する請求項１２又は１３に記載の方法。
【請求項１５】
前記対照ステップは，前記標示対応メディア種別とグループメンバ許可メディア種別とを対照するステップを含み，前記方法は更に
前記グループメンバ許可メディア種別に含まれない各標示対応メディア種別を前記メッセージから削除するステップ
を有する請求項１２，１３又は１４に記載の方法。
【請求項１６】
前記対照ステップは，前記標示対応メディア種別とグループメンバのグループメンバ能力とを対照するステップを含み，前記方法は更に
前記グループメンバ能力が対応していない各標示対応メディア種別を前記メッセージから削除するステップ
を有する請求項１２，１３，１４又は１５に記載の方法。
【請求項１７】
前記対照ステップは，前記標示対応メディア種別とグループメンバが用いるユーザ装置のユーザ装置能力とを対照するステップを含み，前記方法は更に
前記ユーザ装置能力が対応していない各標示対応メディア種別を前記メッセージから削除するステップ
を有する請求項１２，１３，１４，１５又は１６に記載の方法。
【請求項１８】
前記メッセージが前記グループの少なくとも１つの標示対応メディア種別を含むとき，前記メッセージを１又は複数のグループメンバに送信するステップ，又はユーザに前記メッセージを表示するステップ
を更に有する請求項１２，１３，１４，１５，１６又は１７に記載の方法。
【請求項１９】
前記メッセージが標示対応メディア種別を含まないとき，対照後前記メッセージを無視するステップ
を更に有する請求項１２，１３，１４，１５，１６，１７又は１８に記載の方法。
【請求項２０】
デバイス可読媒体に組み込まれプログラム命令を含む計算機プログラム製品であって，前記プログラム命令を実行することによって前記計算機プログラム製品を含むデバイスに請求項１２〜１９のいずれか一項に記載のステップを実行させる計算機プログラム製品。
【請求項２１】
請求項１〜９のいずれか一項に記載の１又は複数のグループ通信サーバを備えるシステム。
【請求項２２】
更に，請求項１０又は１１に記載の１又は複数のユーザ装置を備える請求項２１に記載のシステム。
【発明の詳細な説明】
【技術分野】
【０００１】
本発明は，グループ通信サービスを提供する通信システムにおけるグループ通信に関する。
【背景技術】
【０００２】
移動体通信システムにおいて提供される１つの特別な特徴は，グループ通信である。ここで用いる「グループ」という用語は，同一のグループ通信に参加しようとする２又は複数のユーザからなる任意の論理グループを指す。グループ通信の一例は，グループ呼であって，すべての参加者がお互いに順に話をし，話を聞くことができる呼である。
【０００３】
従来グループ通信は，業務用移動体無線又は私的移動体無線（ＰＭＲ）システム，ＴＥＴＲＡ（地上基盤（trunked）無線）のような基盤移動体通信システムにおいてだけ利用可能であり，それらは主として業務ユーザ又は行政ユーザのための特別な無線システムであった。通信技術，特にＩＰ通信技術，及びエンドユーザ装置の進化のおかげで，いまやグループ通信サービスは公衆移動体通信システムにおいても利用可能である。グループ通信サービスを提供するサービス例は，セルラ網上のプッシュ−ツ−トークサービス（ＰｏＣ）と，メッセージサービス（ＩＭ）と，会議通信サービスと，を含む。これらはいずれもＳＩＰ（セッション開始プロトコル）が提供する要素を用いて実現されており，ＳＩＰは１つの通信システムに垂直統合されているものではなく，マルチメディアアーキテクチャを構築するツールである。このようなグループ通信は，データ呼，音声呼，ビデオ呼，マルチメディア呼，メッセージ，電子メール，等を含む。
【０００４】
この多彩な通信可能性によって，グループ内で種々のメディア種別が利用可能である。すなわち，音声ＰｏＣ呼と，ＳＩＭＰＬＥ（即時メッセージ及びプレゼンス利用のための拡張用ＳＩＰ）によるＩＭチャットと，ビデオＰｏＣ呼と，ゲームサービスと，のようなメディアである。グループが定義されたとき，通常はこれらメディア種別のうちいくつかだけが，グループの対応メディア種別として規定される。対応メディア種別は，例えばグループを広告（advertise）するメッセージ，又はグループメンバにグループへの参加を招待するメッセージによって，グループメンバに通知することができる（グループメンバとは，グループ通信に参加しようとするユーザである）。しかし上述のメッセージ内の対応メディア種別は，対応するものとして規定されていないメディア種別を含むことがある。このようにグループメンバは，混乱を招く，すなわち誤った情報を受信することがある。
【発明の開示】
【課題を解決するための手段】
【０００５】
したがって本発明の目的は，上述の課題を解決する方法及びその方法を実現する装置を提供することにある。本発明の目的は，本願の独立請求項の記載によって特徴付けられる方法と，ユーザ装置と，サーバと，システムと，計算機プログラム製品と，によって達成される。本発明の好ましい実施例は，従属請求項に開示されている。
【０００６】
本発明は，問題を認識し，メッセージによって示される対応メディア種別と利用可能メディア種別とを対照し，それらが一致するときユーザにメッセージを送信するか，又は情報を表示することによって問題を解決することによる。
【０００７】
本発明は，グループの対応メディア種別について混乱を招く情報を，グループメンバが確実に受信しないようにする実現容易な解決方法を提供する。
【０００８】
以降，好ましい実施例及び付属の図面を用いて本発明を詳細に説明する。
【発明を実施するための最良の形態】
【０００９】
以降の実施例は例示である。本明細書のいくつかの箇所で１つの，又はいくつかの実施例について言及するが，これはそれらの言及がそれぞれ同一の実施例を指すことを必ずしも意味しないし，その特徴が１つの実施例にだけ適用されることも必ずしも意味しない。更に，以降提示する各実施例又はその部分を組み合わせて，本発明の好ましい実施例を作り出すことができる。
【００１０】
本発明は，グループ通信に対応し，グループが対応するメディア種別をグループメンバに標示するメッセージを提供する任意のユーザ装置，サーバ，及び／又は通信システム，若しくは種々の通信システムの任意の組合せに適用できる。メッセージ形式グループ種別には制限がない。通信システムは，固定通信システムでもよいし，無線通信システムでもよいし，固定ネットワーク及び無線ネットワーク双方を用いる通信システムでもよい。特に無線通信では，使用するプロトコル，並びに通信システム及びユーザ装置の仕様は急速に発展する。このような発展によって，本発明に追加の変更が必要となるかもしれない。したがってすべての用語及び表現は広く解釈することが望ましく，それらは本発明を例示するものであり制限するものではない。
【００１１】
以降，本発明が適用できるシステムアーキテクチャの例として，ＳＩＰを用いたアーキテクチャを用いて本発明を説明する。ＳＩＰは，マルチメディアアーキテクチャを構築するツールを提供し，ＸＤＭ（ＸＭＬ文書管理）を利用するものであるが，本発明はそのようなアーキテクチャに限定されるものではない。ＳＩＰはインターネット技術委員会（ＩＥＴＦ）が規定するアプリケーション層制御（信号通知）プロトコルであって，１又は複数の参加者との間でセッションを生成し，修正し，終了させるものである。オープンモバイルアライアンス（ＯＭＡ）は，ＸＣＡＰプロトコル（ＸＭＬ構成利用プロトコル）を用いてグループ及びリストを管理するための共通枠組みとして，ＸＤＭを規定した。ＩＥＴＦ仕様書及びインターネットドラフトは，http://www.ietf.orgで，ＯＭＡ仕様書はhttp://www.openmobilealliance.orgで参照できる。
【００１２】
図１にＳＩＰ及びＸＣＡＰを用いてグループ通信サービスを提供する通信システムの概略アーキテクチャを示す。図１はいくつかの要素及び機能エンティティだけを示す簡略システムアーキテクチャであって，それら要素及びエンティティは論理ユニットであり，実装は示したものと異なってもよい。図１に示したコネクションは論理コネクションである。実際の物理コネクションは異なってもよい。当業者には，このシステムがほかの機能及び構造体も含むことは明らかである。上記機能，構造体及び要素と，グループ通信において用いられる，又はグループ通信用の，グループ通信への参加の招待，又はグループの広告を含むプロトコルとは，実際の発明とは無関係である。したがってそれらについてはここでは詳細に説明する必要はない。
【００１３】
通信システム１は，移動機のようなユーザ装置（ＵＥ）１−２を備え，それらは集約（aggregation）プロキシ１−３と，アプリケーションサーバ１−４と，ＩＰマルチメディアサブシステム（ＩＭＳ）１−５と，に接続可能であり，それらを介してアプリケーションＸＭＬ文書管理サーバ（ＸＤＭＳ）１−６及び共有ＸＤＭＳ１−７に接続可能である。ＵＥ１−２は，機能エンティティとして例えば，アプリケーションが提供するサービスを利用するアプリケーションクライアント１−２１と，ＸＭＬ文書又はＸＭＬ文書内の要素を生成し，削除し，修正し，取得することができるＸＭＬ文書管理クライアント（ＸＤＭＣ）１−２２と，を含む。通常ＳＩＰ信号通知のような制御面情報はＩＭＳ１−５を通過するが，ユーザ面情報はＵＥ１−２とアプリケーションサーバ１−４との間を通過する。ＸＡＰプロトコルを用いるグループ及びリスト管理情報は，ＵＥ（より正確にはＵＥ内のＸＤＭＣ１−２２）と，アプリケーションＸＤＭＳ１−６又は共有ＸＤＭＳ１−７との間を集約プロキシ１−３を介して通過する。
【００１４】
集約プロキシ１−３と，アプリケーションＸＤＭＳ１−６と，共有ＸＤＭＳ１−７とは，ＸＤＭ機能エンティティである。ＸＤＭは，グループ定義のようなユーザ特定のサービス関連情報を別のアプリケーション（サービスイネーブラ）及びユーザ装置内に常駐するクライアントに対して利用可能にし，そのような情報を生成し，修正し，取得し，削除することを可能にする共通機構を規定する。この情報，より正確にはＸＭＬ文書，はＸＤＭＳに記憶される。アプリケーションＸＤＭＳ１−６はアプリケーション特定サーバである。すなわち，同一の特定アプリケーションそれぞれに対応する１又は複数のアプリケーションサーバにサービスを提供する。これに対して共有ＸＤＭＳ１−７は，システム内の種々のアプリケーションに対応するアプリケーションサーバにサービスを提供し，共通のグループ及びリスト管理データを含む。集約プロキシ１−３は，ＸＤＭＣからの個別ＸＣＡＰ要求を正しいＸＤＭＳに届ける。
【００１５】
グループ通信サービスを提供するアプリケーションは，例えばＰｏＣ，メッセージ又は会議である。ＰｏＣ仕様書は現在ＯＭＡ配下のＰｏＣ作業グループによって開発されている。ＰｏＣについてのより詳細な情報は，上述のＯＭＡインターネットページで参照できる。ＩＥＴＦが規定するＳＩＭＰＬＥは，即時メッセージ（ＩＭ）を提供する。ＯＭＡもまた，ＳＩＰ／ＳＩＭＰＬＥプロトコルを用いるＩＭイネーブラを規定している。このようにアプリケーションサーバ４は，オーディオと，ビデオと，メッセージとのような種々のメディア種別に対応するＰｏＣサーバ，ＩＭサーバ又は会議サーバであってよい。アプリケーションＸＤＭＳ１−６は１つのアプリケーションにサービスを提供するので，アプリケーションＸＤＭＳ１−６はＰｏＣ  ＸＤＭＳ又はＩＭ  ＸＤＭＳであってよい。例えばアプリケーションがＰｏＣであるとき，連絡先リストは共有ＸＤＭＳ１−７及び／又はＰｏＣ  ＸＤＭＳ，すなわちＰｏＣグループ文書を含むアプリケーションＸＤＭＳ１−６に記憶することができる。したがってＰｏＣグループセッションのメンバリストを提供するＰｏＣグループ文書は，ＵＥ１−２及びＰｏＣサーバ，すなわちアプリケーションサーバ１−４に対して利用可能である。そしてこれらのサーバは，このグループを広告するとき，又はグループセッションを設定する（グループセッションにグループメンバを招待する）とき，このメンバリストを利用できる。本発明によるＰｏＣグループ文書は，メンバリストに加えて少なくともグループの対応メディア種別も含むことが好ましい。またＰｏＣグループ文書は，グループ内のグループメンバの許容メディア種別のようなグループメンバ特定情報も含んでもよい。本発明によるサーバは，以降説明する機能のうち１又は複数をサーバによって実行するアプリケーションを有してもよい。上記のアプリケーションは，サーバと共に出荷してもよいし，サーバに対するダウンロード可能なプラグイン，又は別の方法であとからサーバに付加してもよい。若しくはサーバ内の既存アプリケーションを上記機能を有するように修正してもよい。以降に説明する機能をサーバが実行するようにサーバを修正しないこともまた可能である。
【００１６】
ＵＥ１−２，より詳細にはアプリケーションクライアント１−２１，すなわちＸＤＭＣ１−２２は，とりわけアプリケーションセッション開始を可能にし，別のグループリスト及び連絡先リストを利用できるようにする。アプリケーションクライアント及び／又はＸＤＭＣ，若しくはそのクライアントが常駐するＵＥは，グループを広告するメッセージを作成して送信し，グループを広告するメッセージにグループの対応メディア種別についての情報を追加し，グループの対応メディア種別についての情報を記憶するように構成してもよい。本発明によるアプリケーションクライアント１−２１及び／又はＸＤＭＣ１−２２は，ＵＥと共に出荷してもよいし，ＵＥに対するダウンロード可能なプラグイン，又は別の方法であとからＵＥに付加してもよい。若しくはＵＥ内のクライアントを本発明によるクライアントとなるように修正してもよい。ＵＥが本発明によるクライアントを備えないこと，すなわち以降に説明する機能をＵＥが実行するようにＵＥを修正しないこともまた可能である。
【００１７】
ここでメディア種別は，端点，すなわちＵＥ間で調停可能な一般的データ種別及び／又は通信手段を包含するものとする。メディア種別の例には，IETF RFC2046，"Multipurpose Internet Mail Extentions (MIME) Part two: Media Types"，１９９６年１１月，が規定する最上位メディア種別を含む。最上位メディア種別は，テキスト（文字情報）と，画像（画像データ）と，オーディオ（オーディオデータ）と，ビデオ（ビデオデータ）と，アプリケーション（通常はアプリケーションが処理する未処理バイナリデータ又は情報のいずれかである，ある別の種類のデータ）と，マルチパート（独立データ種別からなる複数エンティティからなるデータ）と，メッセージ（カプセル化メッセージ）と，を含むがこれに限定するものではない。更にメディア種別は，グループ通信サービスを提供する種々の副種別及び／又は接続種別（種々のオーバレイサービスを含む）を含む。このようにメディア種別は，例えば'poc'，'im'，'audio'，'video'，'conference'，'application'，'all'，'other'，からなるグループから選択することができる。
【００１８】
「対応メディア種別」とは，グループ内で利用可能と規定されたメディア種別を意味する。グループの対応メディア種別は，１，２，３，又はそれ以上であってもよい。すなわち数は無制限である。対応メディア種別は，どのメディア種別がグループ内で利用可能かを標示するだけであり，グループ通信においてすべての対応メディア種別のメディア成分を使う必要があるわけではない。例えば，グループのグループ通信セッションに際してオーディオだけを用いることも可能である。
【００１９】
次に，明りょうにするために，対応メディア種別を標示するメッセージはグループ広告であるとして本発明を例示するが，本発明はそのようなメッセージに限定されるものではない。このようなグループ広告は，本出願人によるフィンランド国特許出願第２００５５５１４号，及び対応する米国特許出願１１／２８５，１０７号に例示されており，ここにこれら特許出願を参照する。このようなメッセージの別の例は，ＳＩＰ  ＩＮＶＩＴＥである。上述の特許出願における「グループ内で利用可能なメディア種別」という表現は，本願の「グループの対応メディア種別」という表現と同じことを意味している。
【００２０】
図２は，本発明の実施例によるサーバ機能を例示している。図２の例では，サーバがグループメンバに配信するグループ広告を受信するものとする。図２の例では更に，グループの規定対応メディア種別及び少なくとも何人かのグループメンバに対するグループメンバ許可メディア種別に加えて，少なくとも何人かのグループメンバのグループメンバ能力についての情報と，少なくとも何人かのグループメンバのユーザ装置能力についての情報とを，サーバが取得することができるものとする。「グループメンバ許可メディア種別」とは，グループにおけるグループ通信のグループメンバに許可されると規定されたメディア種別を意味する。通常はグループ創始者がそれを規定する。グループメンバ許可メディア種別は対応メディア種別のサブセットであってもよく，各グループメンバは別の許可メディア種別を有してもよい。グループメンバ許可メディア種別は，１，２，３，又はそれ以上であってもよいが，その数は対応メディア種別に制限される。例えばグループの対応メディア種別がオーディオと，ビデオと，メッセージとであるとき，あるグループメンバにはメッセージだけを許可し，別のグループメンバにはオーディオと，ビデオと，メッセージと，を許可することができる。グループメンバ能力は，ユーザ能力とも呼ばれ，例えばユーザプロファイル又はユーザの加入者情報内に記憶してもよい。ＵＥは例えばディスパッチ局であってよく，ネットワークにその能力を記憶してもよい。しかし通常はユーザ装置能力はネットワーク内のユーザ情報の一部としては記憶されず，ＵＥ内で維持される。しかし，この情報がどこに記憶されるか，またすべての情報が記憶されるかどうか，は本発明と無関係である。
【００２１】
図２の例において，サーバはステップ２０１でグループ広告を受信する。グループ広告は，このメッセージが広告しているグループの対応メディア種別についての標示を含む。次にステップ２０２でサーバは標示対応メディア種別と，グループの規定対応メディア種別とを対照する。そしてステップ２０３で，グループの規定対応メディア種別に属さない対応メディア種別をグループ広告から削除する。換言すれば，規定対応メディア種別に一致しない標示対応メディア種別は，グループ広告から削除される。この対照によって，グループが対応していないメディア種別が対応するものとして標示されず，したがってグループメンバが混乱を招く，すなわち誤った情報を確実に受信しないようにするという更なる利点が得られる。
【００２２】
対応メディア種別がまだ残っているときは（ステップ２０４），ステップ２０５でサーバは各グループメンバについて，グループ内のグループメンバ許可メディア種別を含むグループメンバ特定情報と，グループメンバ能力と，ユーザ装置能力と，を取得する。示した例では，明りょうにするために各グループメンバは前に述べた規定を有するものする。次にステップ２０６でサーバはグループメンバについての情報，すなわちあるグループメンバの規定を取り上げ，ステップ２０７で残りの対応メディア種別とグループ内のグループメンバ許可メディア種別とを対照し，ステップ２０８でグループ内の当該グループメンバ許可メディア種別ではない対応メディア種別をグループ広告から削除する。換言すれば，グループメンバ許可メディア種別に一致しない対応メディア種別は，グループ広告から削除される。この対照によって，あるメディア種別をグループ内のあるユーザに対して制限又は許可し，グループ定義を根拠として各グループメンバに対する共通又はユーザ特定の対応メディア種別についての情報を提供できるという更なる利点が得られる。
【００２３】
対応メディア種別がまだ残っているときは（ステップ２０９），サーバはステップ２１０で残りの対応メディア種別とグループメンバ能力とを対照し，ステップ２１１で当該グループメンバのグループメンバ能力にない対応メディア種別をグループ広告から削除する。この対照によって，グループが広告されたとき，又はグループメンバがグループに参加するように招待されたとき，グループメンバが混乱を招く情報を受信せず，例えばプロファイル規定を考慮に入れることができるという更なる利点が得られる。
【００２４】
対応メディア種別がまだ残っているときは（ステップ２１２），サーバはステップ２１３で残りの対応メディア種別とグループメンバのユーザ装置能力とを対照し，ステップ２１４で当該グループメンバのユーザ装置能力にない対応メディア種別をグループ広告から削除する。この対照によって，現在使用しているＵＥのせいで参加できないグループについての情報を意図したグループメンバが受信しないという更なる利点が得られる。
【００２５】
対応メディア種別がまだ少なくとも１つ残っているときは（ステップ２１５），サーバはステップ２１６で当該グループメンバに個別化グループ広告を送信する。グループメンバがグループ内の最後のメンバでないときは（ステップ２１７），サーバはステップ２０６に戻り，処理する別のグループメンバについての情報を取り上げる。グループメンバが最後のメンバであったときは，サーバはこのグループ広告処理を完了したので，ステップ２１８で処理を終了する。
【００２６】
この処理のグループメンバ特定部（すなわちステップ２０６〜２１７）において，サーバがすべての対応メディア種別が削除された（ステップ２０９，２１２又は２１５）ことに気付いたときは，サーバは当該グループメンバに広告を送信しないでステップ２１７へ進み，そのグループメンバがグループ内の最後のメンバかどうかを検査する。この検査によって，参加できないグループについての情報を意図したグループメンバが受信しないという更なる利点が得られる。
【００２７】
この処理のグループ特定部分（すなわちステップ２０１〜２０４）においてすべての対応メディア種別がグループ広告から削除されたときは（ステップ２０４），サーバはグループ広告を送信しないでステップ２１８に進み，このグループ広告処理を終了する。これによって，ネットワーク（及びシステム）に偽情報を含むメッセージで負荷がかかることがないという更なる利点が得られる。実装によっては，サーバがグループアドレスの発信者に，標示対応メディア種別を広告することができないという標示を送信してもよい。
【００２８】
グループメンバの何人かだけがグループメンバ特定情報又はグループメンバ特定情報のうちいくつかを有するとき，サーバはグループメンバ特定情報を有しないグループメンバに，ステップ２０３で対応メディア種別の削除を行ったグループ広告を送信し，上述のグループメンバ特定情報のうちいくつかだけを有するグループメンバに対しては，取得した情報についてだけ対照を行うように構成してもよい。例えばグループメンバが許可メディア種別だけを有するときは，サーバはステップ２１０〜２１５を飛ばして，ステップ２０８の削除結果によって個別化グループ広告を送信するように構成してもよい。別の代替案として，ほかの情報が取得できないときは，サーバはグループメンバ特定情報が規定対応メディア種別と同一であると見なしてもよい。
【００２９】
本発明の別の実施例では，サーバは上述の１又は複数の対照についての関連ステップを飛ばすようにしてもよく，グループ広告又はグループの対応メディア種別を標示する対応メッセージについて１つの対照を行えば十分である。換言すれば，グループの標示対応メディア種別は，利用可能メディア種別と対照すれば十分である。ここで利用可能メディア種別は，次に掲げるメディア種別及び／又はそれらが規定するメディア種別のうち１又は複数を包含する。すなわち，グループの規定対応メディア種別と，グループメンバ許可メディア種別と，グループメンバのグループメンバ能力と，グループメンバの用いるユーザ装置のユーザ装置能力と，である。
【００３０】
図３は，本発明の別の実施例によるサーバの機能を示す図である。図３の例においても，サーバはグループメンバに配信されるグループ広告を受信し，グループの対応メディア種別に加えて少なくとも何人かのグループメンバに関してグループメンバ許可メディア種別を取得できるものとする。更にサーバは，少なくとも何人かのグループメンバのグループメンバ能力についての情報，及び／又は少なくとも何人かのグループメンバのユーザ装置能力についての情報を取得するようにしてもよい。
【００３１】
図３に示す実施例は，上記の例と類似のグループ特定部，すなわちそれぞれステップ２０１〜２０４に対応するステップ３０１〜３０４を有するが，上記と類似するのでここでは詳細に説明する必要はない。しかし個別化グループ広告を作成する代わりに，この実施例のサーバは対応メディア種別について同一の標示を有するグループ広告を送信する。
【００３２】
受信したグループ広告がそのグループに規定された対応メディア種別の標示を含むものとして（ステップ３０４でyesのとき），サーバはステップ３０５で各グループメンバについて，グループ内のグループメンバ許可メディア種別，グループメンバ能力，及び／又はユーザ装置能力を含むグループメンバ特定情報を取得する。１人のグループメンバについての許可メディア種別は，１人のグループメンバ特定規定，並びに１人のグループメンバのグループメンバ能力及びそのグループメンバのユーザ装置能力である。グループメンバ特定規定を取得した後（ステップ３０５），サーバはステップ３０６で残りの対応メディア種別を各グループメンバ規定と対照し，ステップ３０７で各グループメンバ規定にない各対応メディア種別を削除する。対応メディア種別が残っているときは（ステップ３０８），サーバはステップ３０９でグループ広告をすべてのグループメンバに送信する。このようにしてサーバはグループ広告の処理を完了したので，ステップ３１０で処理を終了する。
【００３３】
ステップ３０４又は３０８において，すべての対応メディア種別が削除されたことにサーバが気付いたときは，サーバは当該グループメンバには広告を送信しないでステップ３１０に進み，この処理を終了する。
【００３４】
本発明のまた別の実施例では，サーバはあるグループには図２に開示した実施例による手続を適用し，別のグループには図３に開示した実施例による手続を適用する。
【００３５】
図４は，サーバがグループ創始者から広告を受信することなくグループを広告するメッセージを送信するように構成された場合を示す図であり，このメッセージはグループメンバすべて又はグループメンバのうち選択されたサブセットに送信される。このようなアプリケーションサーバは，本出願人による米国特許出願第１０／８８０，９８２号に例示されており，ここに参照する（対応するＰＣＴ出願はＰＣＴ／ＦＩ２００５／０５０１３７号である）。図４に示した例において，サーバはグループの規定対応メディア種別を根拠として，グループの対応メディア種別についての標示をグループ広告に追加するものとする。すなわち，標示対応メディア種別と規定対応メディア種別とは同一であることが望ましいので，すべての標示対応メディア種別が規定対応メディア種別にあるかどうかを検査する必要はない。
【００３６】
図４に示した例は，ステップ４０１においてグループの対応メディア種別を標示するグループ広告が生成されたとき開始される。その後サーバはステップ４０２において，グループメンバリストからあるグループメンバを取り上げ，ステップ４０３においてグループ内のグループメンバ許可メディア種別を取得する。グループ内でグループメンバ許可メディア種別が規定されているとき（ステップ４０４），サーバはステップ４０５において標示対応メディア種別とグループ内のグループメンバ許可メディア種別とを対照し，ステップ４０６においてグループ内の当該グループメンバ許可メディア種別ではない対応メディア種別をグループ広告から削除する。換言すれば，グループメンバ許可メディア種別に一致しない対応メディア種別は，グループ広告から削除される。まだ対応メディア種別が残されているときは（ステップ４０７），サーバはステップ４０８で当該グループメンバに個別化グループ広告を送信する。そのグループメンバがグループ内の最後のメンバでないときは（ステップ４０９），サーバはステップ４０２に戻り，処理する別のグループメンバを取り上げる。そのグループメンバが最後のメンバであったときは，サーバはこのグループ広告の処理を完了したので，ステップ４１０で処理を終了する。
【００３７】
サーバがすべての対応メディア種別が削除されたことに気付いたときは（ステップ４０７），サーバは当該グループメンバに広告を送信しないでステップ４０９に進み，そのグループメンバがグループ内の最後のメンバかどうかを検査する。
【００３８】
サーバがグループ内の当該グループメンバ許可メディア種別規定がないことに気付いたときは（ステップ４０４），例示実施例によるサーバはステップ４１１でグループメンバに生成したグループ広告を送信してステップ４０９へ進み，そのグループメンバがグループ内の最後のメンバかどうかを検査する。本発明の別の実施例では，サーバはそのようなグループメンバにグループ広告を送信しないように構成してもよい。すなわちサーバはステップ４１１を省略してステップ４０９に直接進む。
【００３９】
別の実施例では，図４に示した処理を強化して図２に示した１又は複数の対照を含むようにしてもよいし，及び／又は許可メディア種別に関連する対照を図２に示した別の対照で置き換えてもよい。
【００４０】
本発明のいくつかの別の実施例では，標示対応メディア種別を対応メディア種別として規定されたものと対照したとき，サーバは規定対応メディア種別に属しているがメッセージに含まれていないメディア種別をメッセージに追加するようにしてもよい。更に規定対応メディア種別を，対応メディア種別を何も標示していないグループを広告するメッセージ，又はそのグループにグループメンバを招待するメッセージに追加してもよい。換言すれば，メッセージからメディア種別を削除する代わりに，又は削除に加えて，標示対応メディア種別に一致しない規定対応メディア種別をメッセージに追加してもよい。例えば図２のステップ２０３又は図３のステップ３０３において，サーバは標示されていないこれらの規定対応メディア種別を追加してもよく，そしてステップ２０７において残りの標示対応メディア種別は，残りの標示対応メディア種別に加えて追加したメディア種別を含む。メッセージに欠けているメディア種別を追加することによって，確実にすべての可能性のある対応メディア種別が標示され，誤って残されるものがないようになるという更なる利点が得られる。
【００４１】
上記では１つのサーバが関係するステップによって対照を行うものとしているが，この対照は２又は複数のサーバで実行してもよく，これらのサーバは同一の対照が二度実行されないようにそれぞれ専用の対照を実行するように構成することが好ましい。
【００４２】
図５は，本発明の実施例によるユーザ装置の機能を示す図である。図５に示す例は，ステップ５０１でユーザ装置がグループ広告又はグループの対応メディア種別を標示する対応メッセージを受信したとき開始される。このメッセージを受信すると，ユーザ装置はステップ５０２で標示対応メディア種別をユーザ装置能力，すなわち自己の能力と対照する。ユーザ装置がすべての標示対応メディア種別に対応しているときは（ステップ５０３），ステップ５０４で標示対応メディア種別を有するグループ広告がユーザ装置のユーザに表示される。
【００４３】
ユーザ装置がすべての標示対応メディア種別に対応していないときは（ステップ５０３），ステップ５０５でユーザ装置は未対応メディア種別をグループ広告から削除する。換言すれば，ユーザ装置能力に一致しない対応メディア種別はグループ広告から削除される。
【００４４】
対応メディア種別が残っているときは（ステップ５０６），ステップ５０４で残りの対応メディア種別を有するグループ広告がユーザに表示される。ユーザ装置がどの標示対応メディア種別にも対応しないとき，すなわちすべてが削除されたときは（ステップ５０６），ステップ５０７でユーザ装置はグループ広告を無視する。換言すれば，ユーザ装置はグループ広告をユーザに表示しない。本発明の別の実施例では，ステップ５０７でユーザ装置はグループ広告を無視する代わりにユーザに表示して，このユーザ装置ではグループに参加できないことをユーザに通知してもよい。
【００４５】
本発明の別の実施例では，ステップ５０５でユーザ装置は，一致しないメディア種別をグループ広告から削除する代わりに，そのメディア種別はグループの対応するものであるがこのユーザ装置では利用できないことをユーザに標示してもよい。この実施例では，残りのメディア種別，すなわち利用可能メディア種別を有するグループ広告に加えて，ユーザ装置が対応していないメディア種別についても，このユーザ装置ではそのメディア種別を利用できないことを示す情報をユーザに表示する。
【００４６】
本発明の別の実施例では，ユーザ装置が対応していない少なくとも１つの標示対応メディア種別があるときは，ユーザ装置はそのメッセージを無視するようになっている。
【００４７】
上記においてユーザ装置はグループ広告を受信するものとしているが，グループメンバに転送されるグループ広告，又はグループの対応メディア種別を標示する対応メッセージが生成及び／又は送信されたとき，ユーザ装置が上述の各ステップ又はそのいくつかを実行してもよいことは当業者には明白である。
【００４８】
図６は，本発明の実施例による信号方式を示す図である。図６に示した例は，ＵＥ１と，ＵＥ２と，ＵＥ３とで示される３人のグループメンバを有するグループについてのものであり，各メンバは２つの異なる通信事業者の加入者である。この例では，ＵＥ１はアプリケーションサーバ（サーバ１）を有する通信事業者の加入者であり，一方ＵＥ２及びＵＥ３は別のアプリケーションサーバ（サーバ２）を有する別の通信事業者の加入者である。更に，サーバ１はグループの規定対応メディア種別と，グループメンバ許可メディア種別と，ＵＥ１のグループメンバ（すなわちユーザ）能力とを利用することができ，サーバ２はＵＥ２及びＵＥ３のグループメンバ能力を利用することができるものとする。また更に，ユーザ装置能力はＵＥ１と，ＵＥ２と，ＵＥ３とが維持しているものとする。
【００４９】
この例において，ＵＥ１のユーザはグループを広告し，又はグループに参加するようにグループメンバを招待することを欲しており，したがってメッセージ６−１をサーバ１に送信する。ここでメッセージ６−１はグループの対応メディア種別としてａ及びｂを標示している。この例では，サーバ１はメッセージ６−１をグループのほかのメンバにだけ分配するように構成されており，すなわちＵＥ１には（恐らくは更新された対応メディア種別を有するものは）返信しないものとする。メッセージ６−１を受信すると，サーバ１はステップ６−２で当該グループのグループ定義を取得する。このグループ定義は，グループの規定対応メディア種別と，もしあれば各グループメンバ許可メディア種別のような，ほかのグループメンバについてのグループメンバ特定情報と，サーバ１がサービスを提供しているグループメンバのグループメンバ能力と，を含む。この例において，規定対応メディア種別はａと，ｂと，ｃとである。ＵＥ２の許可メディア種別については特定の規定はなく，したがってすべての規定対応メディア種別がＵＥ２に許可されることが標示される。しかしＵＥ３は許可メディア種別としてｂ及びｃを有している。サーバ１はメッセージ６−１の発信者だけにサービスを提供しているので，グループメンバ能力情報は取得されない。しかし本発明の別の実施例では，サーバ１はＵＥ１のグループメンバ能力を取得してもよい。
【００５０】
次にサーバ１は，ステップ６−３で標示対応メディア種別と規定対応メディア種別とを対照する。そしてこの例では，標示対応メディア種別の１つとしてｃを追加し，次にグループメンバ毎に，第１の対照の結果としてメッセージに含まれるメディア種別を対照する。図６の例ではすべての規定対応メディア種別（ａと，ｂと，ｃと）がＵＥ２に許可されているので，サーバ１はＵＥ２に配信されるメッセージ６−４をＵＥ２にサービスを提供するサーバ２に送信する。ここでメッセージ６−４は，ａと，ｂと，ｃとを対応メディア種別として標示している。図６の例ではメディア種別ｂ及びｃがＵＥ３に許可されているので，サーバ１はＵＥ３に配信するメッセージ６−９をＵＥ３にサービスを提供するサーバ２に送信する。ここでメッセージ６−９は，ｂ及びｃを対応メディア種別として標示している。
【００５１】
サーバ２がメッセージ６−４を受信すると，ステップ６−５でＵＥ２のグループメンバ能力（この例ではｂ及びｃ）を取得する。次にサーバ２はステップ６−６で，標示対応メディア種別ａと，ｂと，ｃとをグループメンバ能力ｂ及びｃと対照する。この例では，サーバ２は（一致しない）ａをメッセージから削除し，メッセージ６−４’をＵＥ２に送信する。ここでメッセージ６−４’は，ｂ及びｃを対応メディア種別として標示している。
【００５２】
メッセージ６−４’に応答してＵＥ２は，ステップ６−７で標示対応メディア種別とユーザ装置能力とを対照する。この例ではＵＥ２はメディア種別ｃには対応していないのでＵＥ２はステップ６−８で，当該グループの対応メディア種別はｂであることの標示を有するグループ広告又はグループ通信への参加招待をユーザに表示する。
【００５３】
サーバ２がメッセージ６−９を受信すると，サーバ２はステップ６−５’でＵＥ３のグループメンバ能力を取得し，この例ではそれはａである。次にサーバ２はステップ６−６’で，標示対応メディア種別ｂ及びｃと，グループメンバ能力ａとを対照する。この例では一致しないのでサーバ２はＵＥ３に何も送信しない。
【００５４】
本発明のある別の実施例では，サーバ２は標示対応メディア種別とユーザ装置能力とを対照するように構成してもよい。この実施例では，上記例のメッセージ６−４’は標示対応メディア種別としてｂだけを含む。
【００５５】
図２〜５に示す上述のステップ及び関係する機能は絶対的な時間順序にあるものではなく，これらステップのいくつかは同時に実行してもよいし，示したものと異なる順序で実行してもよい。ほかの機能もまた，各ステップの間，又は各ステップの中で実行することができる。またこれらステップのいくつか，又はこれらステップの一部は，省略することができる。
【００５６】
本発明の機能を実現するユーザ装置，及び／又はサーバ又は対応するサーバコンポーネント，及び／又はほかの対応するデバイスは，先行技術手段だけでなく，グループメンバに向けられたメッセージが標示する対応メディア種別についての情報と，利用可能メディア種別とを，上述の方法で対照する手段も含む。本発明のサーバ及びユーザ装置は，本発明による機能において用いることができるプロセッサ及びメモリを備える。本発明を実現するために必要なすべての修正物及び構成物は，ルーチンとして実行することができ，それらは追加又は更新ソフトウェアルーチン，特定用途集積回路（ＡＳＩＣ），及び／又はプログラム可能回路として実現することができる。ソフトウェアルーチンはプログラム製品とも呼ばれ，アップレット及びマクロを含むものであり，任意の計算機可読データ記憶媒体に記憶することができ，特定処理を実行するプログラム命令を含む。ソフトウェアルーチンはデバイスにダウンロードしてもよい。
【００５７】
技術の進歩に伴って本発明の思想を種々の方法で実現可能であることは当業者には明白であろう。したがって本発明及びその実施例は上述の例に限定されるものではなく，本願請求項の範囲内で変更し得るものである。
【図面の簡単な説明】
【００５８】
【図１】グループ通信サービスを提供する通信システムの一般的アーキテクチャの例を示す図である。
【図２】本発明の実施例によるサーバの機能を示すフローチャートである。
【図３】本発明の実施例によるサーバの機能を示すフローチャートである。
【図４】本発明の実施例によるサーバの機能を示すフローチャートである。
【図５】本発明の実施例によるユーザ装置の機能を示すフローチャートである。
【図６】本発明の実施例による信号方式の例を示す図である。
【図１】
2009517943.tif 000003
【図２】
2009517943.tif 000004
【図３】
2009517943.tif 000005
【図４】
2009517943.tif 000006
【図５】
2009517943.tif 000007
【図６】
2009517943.tif 000008
【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
グループの１又は複数の対応メディア種別を標示するメッセージに応答して，前記の標示対応メディア種別と利用可能メディア種別とを対照する対照手段を備える装置であって，すべての標示対応メディア種別が利用可能メディア種別であるときは，前記標示対応メディア種別を修正することなく前記メッセージを送信するように構成する装置。
【請求項２】
前記利用可能メディア種別は，メディア種別及びそれらが規定するメディア種別を有する群のうち少なくとも１つとし，前記群は，前記グループが規定する対応メディア種別と，グループメンバ許可メディア種別と，グループメンバのグループメンバ能力と，グループメンバが用いるユーザ装置のユーザ装置能力と，を含む請求項１に記載の装置。
【請求項３】
前記対照手段は，前記標示対応メディア種別と規定対応メディア種別とを対照するように構成し，前記装置は原メッセージにない各規定対応メディア種別を前記標示対応メディア種別として前記メッセージに追加するように構成する請求項１又は２に記載の装置。
【請求項４】
前記対照手段は，前記標示対応メディア種別と規定対応メディア種別とを対照するように構成し，前記装置はそのグループの規定対応メディア種別に含まれない各標示対応メディア種別を前記メッセージから削除するように構成する請求項１，２又は３に記載の装置。
【請求項５】
グループの１又は複数の対応メディア種別を標示していない該グループを広告するメッセージ，又は前記グループに参加するようにグループメンバを招待するメッセージに応答して，前記グループについて規定された対応メディア種別標示を前記メッセージに追加するように構成する装置。
【請求項６】
対照手段を備える装置であって，前記対照手段は前記標示対応メディア種別とグループメンバ許可メディア種別とを対照するように構成し，前記装置は前記グループメンバ許可メディア種別に含まれない各標示対応メディア種別を前記メッセージから削除するように構成する請求項１，２，３，４又は５に記載の装置。
【請求項７】
対照手段を備える装置であって，前記対照手段は前記標示対応メディア種別とグループメンバのグループメンバ能力とを対照するように構成し，前記装置は前記グループメンバ能力が対応していない各標示対応メディア種別を前記メッセージから削除するように構成する請求項１，２，３，４，５又は６に記載の装置。
【請求項８】
対照手段を備える装置であって，前記対照手段は前記標示対応メディア種別とグループメンバが用いるユーザ装置のユーザ装置能力とを対照するように構成し，前記装置は前記ユーザ装置能力が対応していない各標示対応メディア種別を前記メッセージから削除するように構成する請求項１，２，３，４，５，６又は７に記載の装置。
【請求項９】
前記装置は更に，前記メッセージを前記グループメンバへ個別化メッセージとして送信するように構成する請求項６，７又は８に記載の装置。
【請求項１０】
前記装置はグループ通信サーバとする請求項１〜９のいずれか一項に記載の装置。
【請求項１１】
グループの１又は複数の対応メディア種別を標示するメッセージに応答して，前記の標示対応メディア種別とユーザ装置能力とを対照する対照手段を備えるグループ通信に対応するユーザ装置であって，すべての標示対応メディア種別が前記ユーザ装置能力の対応するものであるときは，ユーザに前記メッセージを表示するように構成するユーザ装置。
【請求項１２】
前記ユーザ装置は更に，前記ユーザ装置能力が対応していない各標示対応メディア種別を前記メッセージから削除するように構成する請求項１１に記載のユーザ装置。
【請求項１３】
グループの１又は複数の対応メディア種別を標示するメッセージを受信するステップと，
少なくとも１つの前記対応メディア種別と前記グループの利用可能メディア種別とを対照する対照ステップと，
前記対照ステップによってどのように継続するかを決定するステップと，
を有する方法。
【請求項１４】
前記対照ステップは，前記標示対応メディア種別と規定対応メディア種別とを対照するステップを含み，前記方法は更に
原メッセージにない各規定対応メディア種別を前記標示対応メディア種別として前記メッセージに追加するステップ
を有する請求項１３に記載の方法。
【請求項１５】
前記対照ステップは，前記標示対応メディア種別と規定対応メディア種別とを対照するステップを含み，前記方法は更に
そのグループの規定対応メディア種別に含まれない各標示対応メディア種別を前記メッセージから削除するステップ
を有する請求項１３又は１４に記載の方法。
【請求項１６】
前記対照ステップは，前記標示対応メディア種別とグループメンバ許可メディア種別とを対照するステップを含み，前記方法は更に
前記グループメンバ許可メディア種別に含まれない各標示対応メディア種別を前記メッセージから削除するステップ
を有する請求項１３，１４又は１５に記載の方法。
【請求項１７】
前記対照ステップは，前記標示対応メディア種別とグループメンバのグループメンバ能力とを対照するステップを含み，前記方法は更に
前記グループメンバ能力が対応していない各標示対応メディア種別を前記メッセージから削除するステップ
を有する請求項１３，１４，１５又は１６に記載の方法。
【請求項１８】
前記対照ステップは，前記標示対応メディア種別とグループメンバが用いるユーザ装置のユーザ装置能力とを対照するステップを含み，前記方法は更に
前記ユーザ装置能力が対応していない各標示対応メディア種別を前記メッセージから削除するステップ
を有する請求項１３，１４，１５，１６又は１７に記載の方法。
【請求項１９】
前記メッセージが前記グループの少なくとも１つの標示対応メディア種別を含むとき，前記メッセージを１又は複数のグループメンバに送信するステップ，又はユーザに前記メッセージを表示するステップ
を更に有する請求項１３，１４，１５，１６，１７又は１８に記載の方法。
【請求項２０】
前記メッセージが標示対応メディア種別を含まないとき，対照後前記メッセージを無視するステップ
を更に有する請求項１３，１４，１５，１６，１７，１８又は１９に記載の方法。
【請求項２１】
プログラムであって，プロセッサ上で該プログラムを実行することによって，該プロセッサを備えるデバイスが請求項１３〜２０のいずれか一項に記載の各ステップを実行するようにするプログラム。
【請求項２２】
グループを広告するメッセージ，又は該グループに参加するようにグループメンバを招待するメッセージを受信するステップと，
前記グループの１又は複数の対応メディア種別を標示していない前記メッセージに応答して，前記グループについて規定された対応メディア種別標示を前記メッセージに追加するステップと，
を有する方法。
【請求項２３】
前記の標示対応メディア種別と，グループメンバ許可メディア種別とを対照するステップと，
前記グループメンバ許可メディア種別に含まれない各標示対応メディア種別を前記メッセージから削除するステップと，
を有する請求項２２に記載の方法。
【請求項２４】
プログラムであって，プロセッサ上で該プログラムを実行することによって，該プロセッサを備えるデバイスが請求項２２又は２３に記載の各ステップを実行するようにするプログラム。
【請求項２５】
請求項１〜１０のいずれか一項に記載の１又は複数の装置と，請求項１１又は１２に記載の１又は複数のユーザ装置とを備えるシステム。
【国際調査報告】
2009517943.tif 000009
2009517943.tif 000010
2009517943.tif 000011